(57)【要約】      （修正有）【課題】ロール状トイレットペーパーのセッティングおよび切断が容易で使い勝手が良いトイレットペーパーホルダーを提供する。【解決手段】背板１両側に側板２を対設した保持枠Ｂと、上端に開口部７を有するロール状トイレットペーパーＲの収容器Ｃと、下端に刃先１２を形したカッターＤとを備え、ロール状トイレットペーパーの収容器Ｃを保持枠Ｂの側板２上部位置に回転自在に軸支し、一方、カッターＤを保持枠Ｂの側板２下部位置に回転自在に軸支し、カッターＤを略垂直位置から略水平位置まで回転させて、カッターＤ下端の刃先１２をロール状トイレットペーパーを介して保持枠Ｂ背板１に当接保持させるように形成してなる。【選択図】図２
0003151116.tif 000002
【実用新案登録請求の範囲】
【請求項１】
背板両側に側板を対設した保持枠と、上端に開口部を有するロール状トイレットペーパーの収容器と、下端に刃先を形したカッターとを備え、ロール状トイレットペーパーの収容器を保持枠の側板上部位置に回転自在に軸支し、一方、カッターを保持枠の側板下部位置に回転自在に軸支し、カッターを略垂直位置から略水平位置まで回転させて、カッター下端の刃先をロール状トイレットペーパーを介して保持枠背板に当接保持させるように形成したことを特徴とするトイレットペーパーホルダー。
【考案の詳細な説明】
【技術分野】
【０００１】
本考案はトイレットペーパーホルダーに関する。
【背景技術】
【０００２】
従来のトイレットペーパーホルダーは、例えば保持枠の正面両側に所定の間隔を置いて２個一対の支軸をそれぞれ折り曲げ自在に対向突設すると共に、保持枠の支軸上方に下縁にカッター刃を形成した側面視円弧状のペーパーカバーの上端を開閉自在に軸支したものが知られている。
【０００３】
そして、使用に際しては、ロール状トイレットペーパー両端の軸芯孔を２個一対の支軸にそれぞれ嵌め込み支持した状態でペーパーカバー外側を片手で押えつつ残りの手でトイレットペーパー先端を上方に持ち上げる。
【０００４】
斯くして、トイレットペーパーはペーパーカバー先端に形成されたカッター刃によって所定の長さに切断され使用に供される。
【先行技術文献】
【特許文献】
【０００５】
【特許文献１】特になし
【考案の概要】
【考案が解決しようとする課題】
【０００６】
したがって、従来のトイレットペーパーホルダーでは、ロール状トイレットペーパーのセッティングが面倒であり、しかもトイレットペーパーの切断時に両手での作業が不可欠である。
したがって、従来のトイレットペーパーホルダーは使い勝手が良くない問題がある。
【０００７】
そこで、本考案は、叙上のような従来存した諸事情に鑑み案出されたもので、ロール状トイレットペーパーのセッティングおよび当該トイレットペーパーの切断が容易で使い勝手に優れたトイレットペーパーホルダーを提供することを目的とする。
【課題を解決するための手段】
【０００８】
上記した課題を解決するために、本考案にあっては、背板両側に側板を対設した保持枠と、上端に開口部を有するロール状トイレットペーパーの収容器と、下端に刃先を形したカッターとを備え、ロール状トイレットペーパーの収容器を保持枠の側板上部位置に回転自在に軸支し、一方、カッターを保持枠の側板下部位置に回転自在に軸支し、当該カッターを略垂直位置から略水平位置まで回転させて、カッター下端の刃先をロール状トイレットペーパーを介して保持枠背板に当接保持させるように形成したことを特徴とする。
【考案の効果】
【０００９】
本考案によれば、手前に回転させて開いた状態にしたロール状トイレットペーパーの収容器の開口部から当該ロール状トイレットペーパーを落し込んで収容器内に収容した後、該収容器を後方へ回転させて開口部を保持枠の背板に当接して閉じるだけで容易にロール状トイレットペーパーのセッティングを終わらせることができる。
【００１０】
また、カッターを略垂直位置から略水平位置に回転させ刃先を保持枠の背板にロール状トイレットペーパーを介して当接保持させた状態で当該ロール状トイレットペーパーを引っ張るだけで刃先にて所定の長さに容易に切断することができる。したがって、従来のトイレットペーパーホルダーと比べて使い勝手が良い。
【図面の簡単な説明】
【００１１】
【図１】本考案を実施するための一形態におけるトイレットペーパーホルダーの斜視図である。
【図２】同じくトイレットペーパーホルダーのロール状トイレットペーパーの収容器を開いた状態を示す斜視図である。
【図３】同じくトイレットペーパーホルダーの保持枠を示す斜視図である。
【図４】同じくトイレットペーパーホルダーのカッターを示す斜視図である。
【図５】同じくトイレットペーパーホルダーの使用状態（切断前）を示す縦断側面図である。
【図６】同じくトイレットペーパーホルダーの使用状態（切断時）を示す縦断側面図である。
【考案を実施するための形態】
【００１２】
以下、図面を参照して本考案に係るトイレットペーパーホルダーの実施の一形態を詳細に説明する。
【００１３】
本考案に係るトイレットペーパーホルダーＡは、保持枠Ｂと、ロール状トイレットペーパーＲの収容器Ｃと、ロール状トイレットペーパーＲ切断用のカッターＤとを主要部材として金属やプラスチック部材で構成されている。
【００１４】
保持枠Ｂは、図３に示すように、縦長長方形状の背板１と、該背板１の両側前方に対設された狭幅の縦長長方形状の２枚の側板２、２とを具備している。
【００１５】
側板２、２は、前側の上下角部が安全保持のためアール２ａ、２ａに形成されると共に、後側の上下後端に背板１の上下両面より若干突き出た突出部２ｂ、２ｂが設けられている。
【００１６】
而して、図中２ｃは背板１の上下両側に穿設されたビス孔、２ｄは側板２、２の前側中央やや下方に穿設されたロール状ペーパーホルダーＲの収容器Ｃの軸支孔、２ｅは側板２、２の軸支孔２ｄの直下に穿設されたカッターＤの軸支孔をそれぞれ示している。
【００１７】
ロール状トイレットペーパーＲの収容器Ｃは、図１、図２、図５および図６に示すように、両側に所定の間隔（保持枠Ｂの側板２、２の内側の間隔）を置いて対設された、下縁が円弧状の２枚の側板３、３と、側板３、３間の前後部に対設された正面視略矩形の前板４と後板５および側板３、３の下縁と同じ円弧状の底板６とを具備している。
【００１８】
このように形成することによって上面に矩形状の開口部７が形成され、該開口部７からロール状トイレットペーパーＲを収容器Ｃ内に落し込み、当該収容器Ｃ内において回転可能状態で収容できるようになっている。
【００１９】
また、ロール状トイレットペーパーＲの収容器Ｃの側板３、３外面の後部下端には支軸８、８が突設され、該支軸８、８を保持枠Ｂの側板２、２に穿設された軸支孔２ｄに回動可能に嵌合することによって当該収容器Ｃは図１と図２の間（約９０度）を開閉可能に回転するようになっている。
【００２０】
さらに、ロール状トイレットペーパーＲの収容器Ｃの前板４の上端には、側板３、３および後板５の上端よりやや突き出た突出部４ａが設けられている。そして、この突出部４ａは図１、図５および図６に示すように、収容器Ｃの開口部７を後方へ回転し開口部７を背板１に当接することによって閉じた時、保持枠Ｂの側板２、２上端の突出部２ｂ、２ｂ間において背板１の上下両端面に当接保持されるようになっている。
【００２１】
一方、このとき、収容器Ｃの後板５上端面には切欠き５ａが形成され、該切欠き５ａがロール状トイレットペーパーＲが通る空隙ａを存して背板１の正面に対設している。
【００２２】
ロール状トイレットペーパーＲ切断用のカッターＤは、図４に示すように、略横長長方形状の板状体９にて形成されており、両側端面上方には支軸１０、１０が突設されている。
【００２３】
また、カッターＤの板状体９の上端面中央には操作用突部１１が形成されると共に、当該板状体９の下面には刃先１２が形成されている。
【００２４】
このようにして形成されるカッターＤは、板状体９両端に突設された支軸１０、１０を保持枠Ｂの側板２、２下方に穿設された軸支孔２ｅに嵌合することによって回動可能に支持される。
【００２５】
さらに、カッターＤの板状体９の縦幅は図６に示すように、図５に示す位置から後方へ約９０度回転させたとき、刃先１２が保持枠Ｂの背板１下側正面にロール状トイレットペーパーＲを挟んで当接保持されるよう形成されている。
【００２６】
尚、カッターＤの板状体９両端に突設された支軸１０、１０は図１に示すように、板状体９の幅方向（図５では上下方向）へ長幅に形成されると共に、上端がフラットに形成されている。
【００２７】
一方、支軸１０、１０が嵌合する軸支孔２ｅ、２ｅは縦方向に長い略楕円形状に形成され、カッターＤの板状体９を図６に示すように９０度回転させ刃先１２が保持枠１の背板１正面に当接させたとき、支軸１０、１０の回動を軸支孔２ｂ、２ｂ内縁との摩擦によって阻止する機能を有するものとなっている。
なお、支軸１０、１０にコイルバネ（不図示）を設け、カッターＤの板状体９の刃先１２が軽く背板１に弾圧させるようにしても良い。
【００２８】
次に、以上のように構成された本考案に係るトイレットペーパーホルダーＡの使用、動作の一例について詳細に説明する。
【００２９】
先ず、図１の収容器Ｃを閉じた状態において収容器Ｃを前方へ回転して図２の状態に開口部７開き、当該開口部７からロール状トイレットペーパーＲを収容器Ｃ内部に落し込んで収容する。
【００３０】
その後、再び収容器Ｃを第１図の状態に回転して閉じるが、このとき、ロール状トイレットペーパーＲの先端を保持枠Ｂの後板５上端面の切欠き５ａと背板１との空隙ａを介してカッターＤ後方の間隙下方まで垂下させる。
【００３１】
次いで、使用に際しては、ロール状トイレットペーパーＲの先端を摘んで所定の長さ引き出す。そして、カッターＤの板状体９を第６図に示す略水平状態になるまで約９０度回転させる。
【００３２】
この状態でカッターＤの板状体９下端に設けられた刃先１２がロール状トイレットペーパーＲを介して保持枠Ｂの背板１に当接保持されるため、ロール状トイレットペーパーＲ先端側を上方へ持ち上げるようにして引っ張ればカッターＤの刃先１２でロール状トイレットペーパーＲは所定の長さに切断される。
以降同様の動作を繰り返して行なうものである。
【符号の説明】
【００３３】
Ａ    トイレットペーパーホルダー
Ｂ    保持枠
Ｃ    収容器
Ｄ    カッター
Ｒ    ロール状トイレットペーパー
ａ    空隙
１    背板
２    側板
２ａ  アール
２ｂ  突出部
２ｃ  ビス孔
２ｄ  収容器の軸支孔
２ｅ  カッターの軸支孔
３    側板
４    前板
４ａ  突出部
５    後板
５ａ  切欠き
６    底板
７    開口部
８    支軸
９    板状体
１０  支軸
１１  突部
１２  刃先
【図１】
0003151116.tif 000003
【図２】
0003151116.tif 000004
【図３】
0003151116.tif 000005
【図４】
0003151116.tif 000006
【図５】
0003151116.tif 000007
【図６】
0003151116.tif 000008